(57)【要約】【課題】裏座が帯状部を介してカッタ本体に対して切り離し不能に一体に形成され、帯状部が折れた場合に裏座がカッタ本体から飛び出さない替刃式カッタを提供する。【解決手段】カッタ本体２と、カッタ本体２の外周に形成された外周開口部２ａに挿入される替刃４と、替刃４をカッタ本体２に固定する裏座３を有する替刃式カッタ１であって、裏座３は、外周開口部２ａ内において、カッタ本体２から延出する帯状部５を介してカッタ本体２と切り離し不能一体に形成されている。替刃４は、外周開口部２ａの回転後方壁と裏座３との間に挿入され、外周開口部２ａの回転前方壁を貫通する雌ねじ部２ｂに螺合された雄ねじ６によって裏座３を押すことによりカッタ本体２に着脱可能に固定される。裏座３と外周開口部２ａの間には、帯状部５が折れた場合に裏座３が外周開口部２ａから径方向外方に飛び出すことを防止する飛び出し防止構造が形成されている。【選択図】図２
2008080693.tif 000002
【特許請求の範囲】
【請求項１】
円盤状のカッタ本体と、そのカッタ本体の外周に形成された複数の外周開口部に挿入される替刃と、その替刃を前記カッタ本体に固定する裏座を有する替刃式カッタであって、
前記裏座は、前記外周開口部内において、前記カッタ本体から延出する帯状部を介して前記カッタ本体と切り離し不能に一体に形成されており、
前記替刃は、前記外周開口部の回転後方壁と前記裏座との間に挿入され、前記外周開口部の回転前方壁を貫通する雌ねじ部に螺合された雄ねじによって前記裏座を押すことにより前記カッタ本体に着脱可能に固定され、
前記裏座と前記外周開口部の間には、前記帯状部が折れた場合に前記裏座が前記外周開口部から径方向外方に飛び出すことを防止する飛び出し防止構造が形成されていることを特徴とする替刃式カッタ。
【請求項２】
請求項１に記載の替刃式カッタであって、
飛び出し防止構造は、外周開口部をカッタ本体の外周に向けてつぼまる略台形状に形成し、裏座をカッタ本体の軸中心に向けて拡がる略台形状に形成し、替刃に係合する係合部を前記裏座に形成し、係合した前記裏座と前記替刃の周方向の最大幅を前記外周開口部の開口端近傍の周方向最小幅よりも大きくした構成になっていることを特徴とする替刃式カッタ。
【請求項３】
請求項１または２に記載の替刃式カッタであって、
帯状部は、カッタ本体から湾曲して延出していることを特徴とする替刃式カッタ。
【請求項４】
請求項３に記載の替刃式カッタであって、
帯状部は、カッタ本体の一部からカッタ本体の軸中心に向けて延出する中心延出部と、その中心延出部から連続して径方向外方に延出する外方延出部とを有していることを特徴とする替刃式カッタ。
【発明の詳細な説明】
【技術分野】
【０００１】
本発明は、木材等のフライス削りに使用する替刃式カッタに関する。とりわけ替刃をカッタ本体に固定する裏座が帯状部を介してカッタ本体と切り離し不能に一体に形成されている替刃式カッタに関する。
【背景技術】
【０００２】
従来、特許文献１に記載のフライス削りに使用する替刃式カッタが知られている。この替刃式カッタは、円盤状のカッタ本体と、カッタ本体の外周に形成された複数の外周開口部に挿入される替刃と、替刃をカッタ本体に固定する裏座を有している。裏座は、外周開口部内において、カッタ本体から延出する帯状部を介してカッタ本体と切り離し不能に一体に形成されている。外周開口部内には、裏座とは別個に、カッタ本体から延出する弾性片を介してカッタ本体と一体に形成された押体も設けられている。押体は、弾性片を弾性変形させることで径方向に移動し、裏座を替刃に向けて押し、裏座によって替刃をカッタ本体に対して固定する構成になっている。したがって特許文献１に記載の従来の替刃式カッタは、裏座の他に押体も有する複雑な構造になっており、製造コストが嵩むという問題があった。しかも弾性片が折れて押体が紛失するというおそれもあった。
【０００３】
また裏座とカッタ本体を連結する帯状部は、カッタ本体から延出するためにカッタ本体と同じ材料から形成されており、一般に弾性に富むばね鋼などから成形されるものではない。しかし帯状部は、弾性変形することで裏座を周方向に移動させる構造になっている。そのため帯状部が折れて裏座がカッタ本体から飛び出してしまうというおそれがあった。
【特許文献１】特許第２７４２４９６号公報
【発明の開示】
【発明が解決しようとする課題】
【０００４】
そこで本発明は、裏座が帯状部を介してカッタ本体に対して切り離し不能に一体に形成される替刃式カッタにおいて、押体を不要にして構造が簡易で、かつ帯状部が折れた場合に裏座がカッタ本体から飛び出さない替刃式カッタを提供することを課題とする。
【課題を解決するための手段】
【０００５】
前記課題を解決するために本発明は、各請求項に記載の通りの構成を備える替刃式カッタであることを特徴とする。
請求項１に記載の発明によると、替刃式カッタは、カッタ本体と、カッタ本体の外周開口部に挿入される替刃と、替刃をカッタ本体に固定する裏座を有している。裏座は、外周開口部内において、カッタ本体から延出する帯状部を介してカッタ本体と切り離し不能に一体に形成されている。替刃は、外周開口部の回転後方壁と裏座との間に挿入され、外周開口部の回転前方壁を貫通する雌ねじ部に螺合された雄ねじによって裏座を押すことによりカッタ本体に着脱可能に固定される。そして裏座と外周開口部の間には、帯状部が折れた場合に裏座が外周開口部から径方向外方に飛び出すことを防止する飛び出し防止構造が形成されている。
【０００６】
したがって替刃式カッタは、カッタ本体に螺合した雄ねじによって裏座を押して替刃を固定する構造であるために比較的簡易な構造になっている。カッタ本体から延出する帯状部は、カッタ本体と同じ材料から形成されており、一般に弾性に富むばね鋼などから成形されるものではない。しかし帯状部は、弾性変形することで裏座の移動を許容する構造になっている。そのため帯状部が折れやすいという心配がある。これに対して本替刃式カッタは、帯状部が折れた場合において裏座が外周開口部から飛び出すことを防止する飛び出し防止構造を有している。そのため裏座が外周開口部から飛び出すことを防止することができる。
【０００７】
請求項２に記載の発明によると、飛び出し防止構造は、外周開口部をカッタ本体の外周に向けてつぼまる略台形状に形成し、裏座をカッタ本体の軸中心に向けて拡がる略台形状に形成している。そして替刃に係合する係合部を裏座に形成し、係合した裏座と替刃の周方向の最大幅を外周開口部の開口端近傍の周方向最小幅よりも大きくした構成になっている。したがって帯状部が折れた場合に裏座と替刃が一緒に径方向外方に移動して外周開口部の壁面に引っ掛かる。そのため裏座が外周開口部から飛び出すことを防止できる。
【０００８】
請求項３に記載の発明によると、帯状部は、カッタ本体から湾曲して延出している。したがって真っ直ぐに延出する従来の帯状部に比べて、帯状部の長さが長くなり、弾性変形時に加わる単位体積当たりの応力が小さくなる。そのため帯状部の折れが抑制され得る。
【０００９】
請求項４に記載の発明によると、帯状部は、カッタ本体の一部からカッタ本体の軸中心に向けて延出する中心延出部と、その中心延出部から連続して径方向外方に延出する外方延出部とを有している。したがって帯状部は、中心延出部を有しているために長くなっている。しかも中心延出部によって外方延出部が長くなるために、帯状部は、外方延出部によっても長くなる。そのため帯状部は、全長が長くなることで、弾性変形時に加わる単位体積当たりの応力が小さくなり、折れ難い構成になっている。
【発明を実施するための最良の形態】
【００１０】
本発明の実施の形態に係る替刃式カッタ１を図１，２にしたがって説明する。替刃式カッタ１は、図１に示すように円盤状のカッタ本体２と、カッタ本体２の外周開口部２ａに挿入される替刃４と、替刃４をカッタ本体２に固定する裏座３を有している。
【００１１】
カッタ本体２は、外周部に複数（例えば６個）の外周開口部２ａを有している。外周開口部２ａは、図２に示すようにカッタ本体２の外周に向けてつぼまる略台形状に形成されており、カッタ本体２の外周端を開口する。外周開口部２ａの回転後方壁には、図２に示すように回転後方に凹設された凹設部２ｃが形成されており、凹設部２ｃに替刃４が設置される。外周開口部２ａの回転前方壁には、カッタ本体２の外周面に貫通する雌ねじ部２ｂが形成されている。雌ねじ部２ｂには、外周外方から雄ねじ６が接離可能に螺合されており、雄ねじ６によって裏座３の回転前方面を押すことができる。
【００１２】
裏座３は、図２に示すように外周開口部２ａ内に設けられている。裏座３は、帯状部５とともにワイヤ放電加工等によってカッタ本体２から切り出されており、帯状部５を介してカッタ本体２と切り離し不能に一体に形成されている。裏座３は、外周開口部２ａに対して一周り小さい構造になっており、カッタ本体２の軸中心に向けて拡がる略台形状に形成されている。裏座３の回転後方面には、替刃４に係合する係合部３ａが形成されている。係合部３ａは、凸条であって、替刃４に形成された溝４ａに係合することで替刃４が裏座３に対して径方向外方に移動することを防止する。
【００１３】
帯状部５は、図２に示すようにカッタ本体２側から順に中心延出部５ａと周方向延出部５ｂと外方延出部５ｃを有している。中心延出部５ａは、外周開口部２ａの回転前方壁の下端部からカッタ本体２の軸中心に向けて延出している。周方向延出部５ｂは、中心延出部５ａの先端から周方向に延出し、外方延出部５ｃは、周方向延出部５ｂの先端から径方向外方に延出している。中心延出部５ａと外方延出部５ｃは、いずれも円弧状に形成されており、応力集中を受け難い構成になっている。
【００１４】
替刃４は、図２に示すように両端部に切れ刃４ｂを有しており、刃裏面に溝４ａを有している。溝４ａは、両端部の切れ刃４ｂの略中間位置に刃長方向に形成されており、溝４ａに裏座３の係合部３ａが嵌め込まれる。したがって替刃４は、切れ刃４ｂの一つが摩耗した後に、他方の切れ刃４ｂを先端とした状態で裏座３によってカッタ本体２に固定されることで、他方の切れ刃４ｂも利用できる構成になっている。
【００１５】
替刃４をカッタ本体２に固定する場合は、図２に示すように先ず、外周開口部２ａの回転後方壁と裏座３の間に替刃４を挿入する。次に、雄ねじ６を締め付けて、雄ねじ６によって裏座３を替刃４側に押して、替刃４を裏座３によってカッタ本体２に対して着脱可能に固定する。この時、帯状部５は、弾性変形することで裏座３の周方向への移動を許容する。しかし帯状部５は、カッタ本体２と同じ材質から形成されており、ばね鋼などの弾性変形に富む材料から形成されていない。そのため帯状部５が折れて、裏座３が高速回転するカッタ本体２から飛び出す心配がある。これに対して替刃式カッタ１は、帯状部５が折れた場合でも裏座３が外周開口部２ａから径方向外方に飛び出すことを防止する第一と第二の飛び出し防止構造を有している。
【００１６】
第一の飛び出し防止構造は、帯状部５が折れた場合に、裏座３が替刃４と協同して外周開口部２ａから径方向外方に飛び出すことを防止する構造である。第一の飛び出し防止構造は、図２に示すように外周開口部２ａと裏座３の間に形成されている。すなわち外周開口部２ａと裏座３が略台形状に形成されており、裏座３に替刃４と係合する係合部３ａが形成されている。そして係合した裏座３と替刃４の周方向の最大幅Ａが、外周開口部２ａの開口端近傍における周方向の最小幅Ｂよりも大きく、最大幅Ａの位置が最小幅Ｂの位置よりも径方向中心側に位置している。したがって帯状部５が折れた場合、裏座３が替刃４とともにカッタ本体２の回転の遠心力によって径方向外方に移動して外周開口部２ａの壁面に引っ掛かる。そのため裏座３は、外周開口部２ａから径方向外方に飛び出さない。
【００１７】
第二の飛び出し防止構造は、帯状部５が折れた場合に、裏座３が替刃４と協同することなく、裏座３が外周開口部２ａから径方向外方に飛び出すことを防止する構造である。第二の飛び出し防止構造は、図２に示すように外周開口部２ａと裏座３の間に形成されている。すなわち外周開口部２ａと裏座３が略台形状に形成されており、裏座３の基端部の周方向最大幅Ｃが、外周開口部２ａの開口近傍の周方向最小幅Ｂあるいは凹設部２ｃ基端部近傍の周方向最小幅Ｄよりも大きい。そして最大幅Ｃの位置が最小幅Ｂ，Ｄの位置よりも径方向中心側に位置している。したがって帯状部５が折れた場合、裏座３が外周開口部２ａの壁面に引っ掛かって外周開口部２ａから径方向外方に飛び出さない。
【００１８】
以上のようにして替刃式カッタ１が形成されている。すなわち裏座３は、図２に示すように外周開口部２ａ内において、カッタ本体２から延出する帯状部５を介してカッタ本体２と切り離し不能に一体に形成されている。替刃４は、外周開口部２ａの回転後方壁と裏座３との間に挿入され、外周開口部２ａの回転前方壁を貫通した雌ねじ部２ｂに螺合された雄ねじ６によって裏座３を押すことによりカッタ本体２に着脱可能に固定される。そして裏座３と外周開口部２ａの間には、帯状部が折れた場合に裏座３が外周開口部２ａから径方向外方に飛び出すことを防止する飛び出し防止構造が形成されている。
【００１９】
したがって替刃式カッタ１は、カッタ本体２に螺合した雄ねじ６によって裏座３を押して替刃４を固定する構造であるために比較的簡易な構造になっている。カッタ本体２から延出する帯状部５は、カッタ本体２と同じ材料から形成されており、一般に弾性に富むばね鋼などから成形されるものではない。しかし帯状部５は、弾性変形することで裏座３の移動を許容する構造になっている。そのため帯状部５が折れやすいという心配がある。これに対して替刃式カッタ１は、帯状部５が折れた場合において裏座３が外周開口部２ａから飛び出すことを防止する飛び出し防止構造を有している。そのため裏座３が外周開口部２ａから飛び出すことを防止することができる。
【００２０】
また飛び出し防止構造（第一の飛び出し防止構造）は、図２に示すように外周開口部２ａをカッタ本体２の外周に向けてつぼまる略台形状に形成し、裏座３をカッタ本体２の軸中心に向けて拡がる略台形状に形成している。そして替刃４に係合する係合部３ａを裏座３に形成し、係合した裏座３と替刃４の周方向の最大幅Ａを外周開口部２ａの開口端近傍の周方向最小幅Ｂよりも大きくした構成になっている。したがって帯状部５が折れた場合に裏座３と替刃４が一緒に径方向外方に移動して外周開口部２ａの壁面に引っ掛かる。そのため裏座３が外周開口部２ａから飛び出すことを防止できる。
【００２１】
また帯状部５は、図２に示すようにカッタ本体２から湾曲して延出している。したがって真っ直ぐに延出する従来の帯状部に比べて、帯状部５の長さが長くなり、弾性変形時に加わる単位体積当たりの応力が小さくなる。そのため帯状部５の折れが抑制され得る。
【００２２】
また帯状部５は、図２に示すようにカッタ本体２の一部からカッタ本体２の軸中心に向けて延出する中心延出部５ａと、中心延出部５ａから連続して径方向外方に延出する外方延出部５ｃとを有している。したがって帯状部５は、中心延出部５ａを有しているために長くなっている。しかも中心延出部５ａによって外方延出部５ｃが長くなるために、帯状部５は、外方延出部５ｃによっても長くなる。そのため帯状部５は、全長が長くなることで弾性変形時に加わる単位体積当たりの応力が小さくなり、折れ難い構成になっている。
【００２３】
（他の実施の形態）
本発明は、上記実施の形態に限定されず、以下の形態等であっても良い。
（１）すなわち裏座３は、図２に示すように凸状の係合部３ａを有していた。しかし係合部３ａに代えて凹状の係合部を有し、その係合部が替刃に形成された凸部と係合して替刃が裏座に対して径方向に移動することを防止する構成になっていても良い。
（２）上記実施の形態は、帯状部５が折れた場合に裏座３が外周開口部２ａから飛び出すことを防止する第一と第二の飛び出し防止構造を有していた。しかし第一もしくは第二の飛び出し防止構造のみを有する形態であっても良い。
【図面の簡単な説明】
【００２４】
【図１】替刃式カッタの側面図である。
【図２】図１の一部拡大図である。
【符号の説明】
【００２５】
１・・・替刃式カッタ
２・・・カッタ本体
２ａ・・・外周開口部
２ｂ・・・雌ねじ部
３・・・裏座
３ａ・・・係合部
４・・・替刃
４ａ・・・溝
５・・・帯状部
５ａ・・・中心延出部
５ｂ・・・周方向延出部
５ｃ・・・外方延出部
【図１】
2008080693.tif 000003
【図２】
2008080693.tif 000004